(57)【要約】      （修正有）【課題】カメラで撮影した写真画像を加工した原画像をプリントするだけで簡便に被写体が立体的に知覚されるプリントを可能とする原画像を作成する。【解決手段】被写体と背景とを含む写真画像をデジタル化してデジタル画像を取得する工程と、この取得されたデジタル画像について、コンピュータ上で画像処理ソフトウェアを用いて当該被写体の周囲をマスキングしてから、被写体の背景との境界部分を上記被写体側の色彩で補修した後に、対象となる被写体の画像を背景画像から切り取る工程と、この切り取られた被写体の画像を貼り付けるための新しい背景画像を作成する工程と、この作成された新しい背景画像上に上記切り取った被写体の画像を貼り付ける工程と、この被写体の画像が貼り付けられた背景画像について、被写体の外周部分に対応する背景画像上に陰影付けを行う工程と、その被写体と陰影を背景画像上に結合させる工程とを有する。【選択図】図１
2007115042.tif 000002
【特許請求の範囲】
【請求項１】
被写体と背景とを含む写真画像をデジタル化してデジタル画像を取得する工程と、
この取得されたデジタル画像について、コンピュータ上で画像処理ソフトウェアを用いて当該被写体の周囲をマスキングしてから、被写体の背景との境界部分を上記被写体側の色彩で補修した後に、対象となる被写体の画像を背景画像から切り取る工程と、
この切り取られた被写体の画像を貼り付けるための新しい背景画像を作成する工程と、
この作成された新しい背景画像上に上記切り取った被写体の画像を貼り付ける工程と、
この被写体の画像が貼り付けられた背景画像について、被写体の外周部分に対応する背景画像上に陰影付けを行う工程と、
その被写体と陰影を背景画像上に結合させる工程と、
を行うことにより、被写体が立体的に知覚されるプリントを可能とする原画像を作成することを特徴とする立体知覚プリント原画像作成方法。
【請求項２】
被写体と背景とを含む写真画像をデジタル化してデジタル画像を取得する工程と、
この取得されたデジタル画像について、コンピュータ上で画像処理ソフトウェアを用いて対象となる被写体の画像をマスキングしてからオブジェクト化し、背景画像と分離する工程と、
上記オブジェクト化した被写体の外周部分に対応する背景画像上に陰影付けを行う工程と、
その被写体と陰影を背景画像上に結合させる工程と、
を行うことにより、被写体が立体的に知覚されるプリントを可能とする原画像を作成することを特徴とする立体知覚プリント原画像作成方法。
【請求項３】
被写体と背景とを含む写真画像をデジタル化してデジタル画像を取得する工程と、
この取得されたデジタル画像について、コンピュータ上で画像処理ソフトウェアを用いて当該被写体の周囲をマスキングしてから、被写体の背景との境界部分を上記被写体側の色彩で補修した後に、対象となる被写体の画像を背景画像から切り取る工程と、
この切り取られた被写体の画像を貼り付けるための新しい背景画像を作成する工程と、
この作成された新しい背景画像上に上記切り取った被写体の画像を貼り付ける工程と、
この被写体の画像が貼り付けられた背景画像について、被写体の外周部分に対応する背景画像上に陰影付けを行う工程と、
その被写体と陰影を背景画像上に結合させ、被写体が立体的に知覚されるプリントを可能とする原画像を作成する工程と、
この作成されたプリント用の原画像をプリンタでプリントする工程と、
を行うことを特徴とする立体知覚画像形成方法。
【請求項４】
被写体と背景とを含む写真画像をデジタル化してデジタル画像を取得する工程と、
この取得されたデジタル画像について、コンピュータ上で画像処理ソフトウェアを用いて対象となる被写体の画像をマスキングしてからオブジェクト化し、背景画像と分離する工程と、
上記オブジェクト化した被写体の外周部分に対応する背景画像上に陰影付けを行う工程と、
その被写体と陰影を背景画像上に結合させ、被写体が立体的に知覚されるプリントを可能とする原画像を作成する工程と、
この作成されたプリント用の原画像をプリンタでプリントする工程と、
を行うことを特徴とする立体知覚画像形成方法。
【発明の詳細な説明】
【技術分野】
【０００１】
本発明は、被写体が立体的に知覚されるプリントを可能とする原画像を作成する立体知覚プリント原画像作成方法及び立体知覚画像形成方法に開し、詳しくは、メガネ等の機器を一切用いることなく、カメラで撮影した写真画像を加工した原画像をプリントするだけで簡便に被写体が立体的に知覚されるようにする立体知覚プリント原画像作成方法及び立体知覚画像形成方法に係るものである。
【背景技術】
【０００２】
一般的な立体写真は、観察者の両眼視差を利用して立体メガネをかけて見るものであった。また、立体メガネを用いないで、１枚の原画像のみからレンチキュラーステレオ印刷による立体視を簡便に実現するものとして、デジタルカメラにより1枚の原画像を撮影し、パーソナルコンピュータによってソフトウェアを実行して、上記原画像をレンチキュラーレンズのピッチ以下の様々な距離だけ横方向にシフトして複数枚の仮想画像を生成し、上記パーソナルコンピュータからのプリント指示によりプリンタで複数枚の仮想画像を、上述のピッチをその仮想画像の枚数と同じ複数個に細分化した距離ごとに交互に縦方向の短冊状にプリントすることによって、レンチキュラーレンズを通して両眼視差を利用して立体として観察される立体視画像を生成する立体視画像生成装置が提案されている（例えば、特許文献１参照）。
【０００３】
また、他の立体視画像を形成するものとして、写真フイルムの画像情報を印画紙にプリントし、光電変換で取り込んだ画像情報の画像処理を行うことで指定した部位を突出させるための突出部指定情報を保存し、この突出部指定情報に基づいてマスクを作成し、印画紙の表面に形成した光硬化性樹脂層の表面にマスクを重ねて光源から光線の照射を行い、その後、未露光の光硬化性樹脂の除去を行うことにより、少量の印画紙であっても効果的に立体化して凹凸を有する画像を形成する方法が提案されている（例えば、特許文献２参照）。
【０００４】
さらに、他の立体視画像を形成するものとして、紙表面にレーザービームを照射し、該部分の素材を除去することで形成される窪みと窪みの無い部分とによって表面に文字、模様、写真、絵画等が表現されて、立体表現に優れた紙加工品を提供することが提案されている（例えば、特許文献３参照）。
【特許文献１】特開２００４−３３３７０６号公報
【特許文献２】特開２００３−６６６１８号公報
【特許文献３】特開２０００−６５９７号公報
【発明の開示】
【発明が解決しようとする課題】
【０００５】
しかし、上記特許文献1記載の立体視画像生成装置においては、１枚の原画像のみから立体視画像を生成することはできるが、プリントした画像を立体として観察するには、レンチキュラーレンズを通して見なければならず、例えばテレビの表示画面の前面にレンチキュラーレンズを設置したり、写真立ての表面にレンチキュラーレンズを取り付ける必要があった。
また、特許文献２記載の凹凸を有する画像の形成方法においては、マスク形成工程、樹脂膜形成工程、光照射工程、未露光樹脂除去工程等を処理する構成部分を備えた複雑なプリント装置を必要とし、簡便に立体視画像を得ることができないものであった。
さらに、特許文献３記載の紙加工品においては、その紙加工品の加工を行うレーザー加工機を必要とし、やはり簡便に立体視画像を得ることができないものであった。
【０００６】
そこで、本発明は、このような問題点に対処し、メガネ等の機器を一切用いることなく、カメラで撮影した写真画像を加工した原画像をプリントするだけで簡便に被写体が立体的に知覚されるようにする立体知覚プリント原画像作成方法及び立体知覚画像形成方法を提供することを目的とする。
【課題を解決するための手段】
【０００７】
上記目的を達成するために、第１の発明による立体知覚プリント原画像作成方法は、被写体と背景とを含む写真画像をデジタル化してデジタル画像を取得する工程と、この取得されたデジタル画像について、コンピュータ上で画像処理ソフトウェアを用いて当該被写体の周囲をマスキングしてから、被写体の背景との境界部分を上記被写体側の色彩で補修した後に、対象となる被写体の画像を背景画像から切り取る工程と、この切り取られた被写体の画像を貼り付けるための新しい背景画像を作成する工程と、この作成された新しい背景画像上に上記切り取った被写体の画像を貼り付ける工程と、この被写体の画像が貼り付けられた背景画像について、被写体の外周部分に対応する背景画像上に陰影付けを行う工程と、その被写体と陰影を背景画像上に結合させる工程と、を行うことにより、被写体が立体的に知覚されるプリントを可能とする原画像を作成するものである。
【０００８】
このような構成により、被写体と背景とを含む写真画像をデジタル化してデジタル画像を取得し、この取得されたデジタル画像について、コンピュータ上で画像処理ソフトウェアを用いて当該被写体の周囲をマスキングしてから、被写体の背景との境界部分を上記被写体側の色彩で補修した後に、対象となる被写体の画像を背景画像から切り取り、この切り取られた被写体の画像を貼り付けるための新しい背景画像を作成し、この作成された新しい背景画像上に上記切り取った被写体の画像を貼り付け、この被写体の画像が貼り付けられた背景画像について、被写体の外周部分に対応する背景画像上に陰影付けを行い、その被写体と陰影を背景画像上に結合させることにより、被写体が立体的に知覚されるプリントを可能とする原画像を作成する。
【０００９】
そして、上記被写体の画像を背景画像から切り取る工程は、当該被写体の周囲をマスキングしてから、被写体と背景との境界部分を上記被写体側の色彩で補修した後に、被写体の画像を切り取るものである。これにより、新しい背景画像に被写体の画像を貼り付けた際に、境界部分がきれいに仕上がる。
【００１０】
また、第２の発明による立体知覚プリント原画像作成方法は、被写体と背景とを含む写真画像をデジタル化してデジタル画像を取得する工程と、この取得されたデジタル画像について、コンピュータ上で画像処理ソフトウェアを用いて対象となる被写体の画像をマスキングしてからオブジェクト化し、背景画像と分離する工程と、上記オブジェクト化した被写体の外周部分に対応する背景画像上に陰影付けを行う工程と、その被写体と陰影を背景画像上に結合させる工程と、を行うことにより、被写体が立体的に知覚されるプリントを可能とする原画像を作成するものである。
【００１１】
このような構成により、被写体と背景とを含む写真画像をデジタル化してデジタル画像を取得し、この取得されたデジタル画像について、コンピュータ上で画像処理ソフトウェアを用いて対象となる被写体の画像をマスキングしてからオブジェクト化し、背景画像と分離し、上記オブジェクト化した被写体の外周部分に対応する背景画像上に陰影付けを行い、その被写体と陰影を背景画像上に結合させることにより、被写体が立体的に知覚されるプリントを可能とする原画像を作成する。
【００１２】
この形態は、対象となる被写体の画像を背景画像から分離した後に、該被写体の背景画像として元の背景画像をそのまま用いるものである。この場合は、元の背景画像が例えば空のようにきれいな背景であって、自然にグラデーションがついているようなときに適用できるものである。そしてこのような背景画像の状態において、上記被写体の背景画像からマスキングしてからオブジェクト化し、背景画像から分離した場合は、被写体の背景部分との境界部分は色彩での補修は行わない。既存の背景をそのまま使用するため被写体と背景の色の連続性を生かし諧調変化をそのまま保つことによって、境界部分が自然に仕上がる。
【００１３】
また、第３の発明による立体知覚画像形成方法は、被写体と背景とを含む写真画像をデジタル化してデジタル画像を取得する工程と、この取得されたデジタル画像について、コンピュータ上で画像処理ソフトウェアを用いて当該被写体の周囲をマスキングしてから、被写体の背景との境界部分を上記被写体側の色彩で補修した後に、対象となる被写体の画像を背景画像から切り取る工程と、この切り取られた被写体の画像を貼り付けるための新しい背景画像を作成する工程と、この作成された新しい背景画像上に上記切り取った被写体の画像を貼り付ける工程と、この被写体の画像が貼り付けられた背景画像について、被写体の外周部分に対応する背景画像上に陰影付けを行う工程と、その被写体と陰影を背景画像上に結合させ、被写体が立体的に知覚されるプリントを可能とする原画像を作成する工程と、この作成されたプリント用の原画像をプリンタでプリントする工程と、を行うものである。
【００１４】
このような構成により、被写体と背景とを含む写真画像をデジタル化してデジタル画像を取得し、この取得されたデジタル画像について、コンピュータ上で画像処理ソフトウェアを用いて当該被写体の周囲をマスキングしてから、被写体の背景との境界部分を上記被写体側の色彩で補修した後に、対象となる被写体の画像を背景画像から切り取り、この切り取られた被写体の画像を貼り付けるための新しい背景画像を作成し、この作成された新しい背景画像上に上記切り取った被写体の画像を貼り付け、この被写体の画像が貼り付けられた背景画像について、被写体の外周部分に対応する背景画像上に陰影付けを行い、その被写体と陰影を背景画像上に結合させ、被写体が立体的に知覚されるプリントを可能とする原画像を作成し、この作成されたプリント用の原画像をプリンタでプリントする。
【００１５】
さらに、第４の発明による立体知覚画像形成方法は、被写体と背景とを含む写真画像をデジタル化してデジタル画像を取得する工程と、この取得されたデジタル画像について、コンピュータ上で画像処理ソフトウェアを用いて対象となる被写体の画像をマスキングしてからオブジェクト化し、背景画像と分離する工程と、上記オブジェクト化した被写体の外周部分に対応する背景画像上に陰影付けを行う工程と、その被写体と陰影を背景画像上に結合させ、被写体が立体的に知覚されるプリントを可能とする原画像を作成する工程と、この作成されたプリント用の原画像をプリンタでプリントする工程と、を行うものである。
【００１６】
このような構成により、被写体と背景とを含む写真画像をデジタル化してデジタル画像を取得し、この取得されたデジタル画像について、コンピュータ上で画像処理ソフトウェアを用いて対象となる被写体の画像をマスキングしてからオブジェクト化し、背景画像と分離し、上記オブジェクト化した被写体の外周部分に対応する背景画像上に陰影付けを行い、その被写体と陰影を背景画像上に結合させ、被写体が立体的に知覚されるプリントを可能とする原画像を作成し、この作成されたプリント用の原画像をプリンタでプリントする。
【発明の効果】
【００１７】
請求項１に係る発明によれば、デジタル画像上で被写体の画像を背景画像から切り取り、この切り取った被写体の画像を貼り付けるための新しい背景画像を作成し、この背景画像上に上記切り取った被写体の画像を貼り付け、被写体の外周部分に対応する背景画像上に陰影付けを行うことにより、被写体、陰影、背景の３層の画像構成となり、その被写体と陰影を背景画像上に結合させることにより、プリントするだけで簡便に被写体が立体的に知覚されるプリントを可能とする原画像を作成することができる。したがって、この作成された原画像をプリントすると、メガネ等の機器を一切用いるとなく、被写体が立体的に知覚される。また、被写体の外周にて背景画像上に陰影付けを行う際に、陰影の濃さや幅、陰影の位置関係等を調節することにより、被写体の立体知覚の表現を変えることができる。そして、上記被写体の画像を背景画像から切り取る際に、当該被写体の周囲をマスキングしてから、被写体と背景との境界部分を上記被写体側の色彩で補修した後に、被写体の画像を切り取るようにした場合は、新しい背景画像に被写体の画像を貼り付けたときに、境界部分をきれいに仕上げることができる。したがって、プリントされた画像を観察した際に、被写体がきれいに立体的に知覚される原画像を作成することができる。このことから、新しい写真作品作りや、新しい広告宣伝の表示手段を提供することができる。
【００１８】
請求項２に係る発明によれば、デジタル画像上で被写体の画像を背景画像からオブジェクト化して分離し、このオブジェクト化した被写体の外周部分に対応する背景画像上に陰影付けを行うことにより、被写体、陰影、背景の３層の画像構成となり、その被写体と陰影を背景画像上に結合させるとにより、プリントするだけで簡便に被写体が立体的に知覚されるプリントを可能とする原画像を作成することができる。したがって、この作成された原画像をプリントすると、メガネ等の機器を一切用いるとなく、被写体が立体的に知覚される。また、被写体の外周にて背景画像上に陰影付けを行う際に、陰影の濃さや幅、陰影の位置関係等を調節することにより、被写体の立体知覚の表現を変えることができる。このことから、新しい写真作品作りや、新しい広告宣伝の表示手段を提供することができる。
【００１９】
請求項３に係る発明によれば、デジタル画像上で被写体の画像を背景画像から切り取り、この切り取った被写体の画像を貼り付けるための新しい背景画像を作成し、この背景画像上に上記切り取った被写体の画像を貼り付け、被写体の外周部分に対応する背景画像上に陰影付けを行うことにより、被写体、陰影、背景の３層の画像構成となり、その被写体と陰影を背景画像上に結合させるとにより、被写体が立体的に知覚されるプリントを可能とする原画像を作成し、この作成されたプリント用の原画像をプリンタでプリントすることにより、プリントするだけで簡便に被写体が立体的に知覚される画像を形成することができる。したがって、メガネ等の機器を一切用いることなく、被写体が立体的に知覚される。また、被写体の外周部分に対応する背景画像上に陰影付けを行う際に、陰影の濃さや幅、陰影の位置関係等を調節することにより、被写体の立体知覚の表現を変えることができる。このことから、新しい写真作品作りや、新しい広告宣伝の表示手段を提供することができる。
【００２０】
請求項４に係る発明によれば、デジタル画像上で被写体の画像を背景画像からオブジェクト化して分離し、このオブジェクト化した被写体の外周部分に対応する背景画像上に陰影付けを行うことにより、被写体、陰影、背景の３層の画像構成となり、その被写体と陰影を背景画像上に結合させるとにより、被写体が立体的に知覚されるプリントを可能とする原画像を作成し、この作成されたプリント用の原画像をプリンタでプリントすることにより、プリントするだけで簡便に被写体が立体的に知覚される画像を形成することができる。したがって、メガネ等の機器を一切用いることなく、被写体が立体的に知覚される。また、被写体の外周部分に対応する背景画像上に陰影付けを行う際に、陰影の濃さや幅、陰影の位置関係等を調節することにより、被写体の立体知覚の表現を変えることができる。このことから、新しい写真作品作りや、新しい広告宣伝の表示手段を提供することができる。
【発明を実施するための最良の形態】
【００２１】
以下、本発明の実施形態を添付図面に基づいて詳細に説明する。図１は、第１の発明による立体知覚プリント原画像作成方法の実施形態を示すブロック図である。この立体知覚プリント原画像作成方法は、被写体が立体的に知覚されるプリントを可能とする原画像を作成するもので、メガネ等の機器を一切用いることなく、カメラで撮影した写真画像を加工した原画像をプリントするだけで簡便に被写体が立体的に知覚されるようにする。以下、その手順について説明する。
【００２２】
まず、被写体と背景とを含む写真画像をデジタル化してデジタル画像を取得する（ステップＳ１）。このとき、フイルムカメラで撮影した写真のネガフィルム（例えば３５mmサイズ）又はポジフィルムの画像をフィルムスキャナーで読み取ってデジタル画像を作成するか、或いは、デジタルカメラで撮影した写真のデジタル画像を用いるかのどちらでもよい。なお、ネガフィルムは、記録できる色彩の明暗の幅が広いため、デジタル化に際し色情報の選択の幅が広くなる。以後は、この取得したデジタル画像について、コンピュータ上で画像処理ソフトウェアを用いて処理を行う。
【００２３】
上記取得されたデジタル画像について、画像処理ソフトウェアを用いて対象となる被写体の画像を背景画像から切り取る工程を行う。このとき、まず、画像処理ソフトウェア上でマスクツールを用いて、写真の中の必要な被写体の周囲をマスキングする（ステップＳ２）。具体例として、図２では、地上を歩いている鳥を撮影した写真画像において、被写体としての鳥の周囲をマスクで囲んだ状態（白抜きの破線で囲んでいる）を示している。なお、上記具体例としての写真画像は、被写体に光が略均一に当たっているもので、背景画像が中間的な明るさのグレーに近いものを使用している。そして、上記被写体の周囲をマスキングする際には、画像処理ソフトウェア上で適宜の倍率で拡大して、被写体の周囲を正確にマスキングするようにするとよい。
【００２４】
次に、被写体と背景との境界部分を上記被写体側の色彩で補修する（ステップＳ３）。これは、上記被写体と背景との境界部分は、通常、両者の色が混合しているため、後の工程で作成した新しい背景画像に被写体の画像を貼り付けた際にその境界部分が汚く写ることがあるが、上記境界部分をきれいに仕上げるためである。このように補修した後に、対象となる被写体の画像を背景画像から切り取る（ステップＳ４）。
【００２５】
次に、上記切り取られた被写体の画像を貼り付けるための新しい背景画像を作成する（ステップＳ５）。このとき、元の背景画像のサイズと同じサイズの画像枠を新規に作成し、画像処理ソフトウェア上でグラデーションツールを用いて、上記画像枠の中で２色の色を徐々に一方の色から他方の色へ変化させて塗りつぶし、新しい背景画像を作成する。例えば、白色と黄色とを指定し、背景画像の上部に白色を配すると共に下部に黄色を配し、画像の中央部付近で白色から黄色へ徐々に変化させて塗りつぶせばよい。
【００２６】
次に、上記作成された新しい背景画像上に上記切り取った被写体の画像を貼り付ける（ステップＳ６）。その後、上記被写体の画像が貼り付けられた背景画像について、その被写体の外周にて上記背景画像上に陰影付けを行う（ステップＳ７）。このとき、被写体の外周の背景画像上にて主として当該被写体の下側に、立体的に知覚させたい程度に応じて陰影の方向、陰影の濃淡、陰影ぼかしの強弱、陰影幅の大小等を調節して陰影付けを行う。この処理は、操作者がコンピュータの表示画像を観察しながら、最適な結果が得られるまで何回か繰り返して行えばよい。次に被写体と陰影を背景画像上に結合させる（ステップ８）。これにより、被写体が立体的に知覚されるプリントを可能とする原画像の作成が完了する。
【００２７】
図３は、上記のようにして作成されたプリント用の原画像の具体例を示す写真である。この例は、図２において、被写体（鳥）の周囲をマスクで囲んだ状態で被写体の画像を背景画像から切り取り、例えば白色と黄色とを用いてグラデーションツールで作成した新しい背景画像上に上記被写体の画像を貼り付け、被写体の外周部分に対応する背景画像上に被写体（鳥）の陰影付けを行い、被写体と陰影を背景画像上に結合させたものである。
【００２８】
図４は、第２の発明による立体知覚プリント原画像作成方法の実施形態を示すブロック図である。この実施形態は、対象となる被写体の画像を背景画像から分離した後に、該被写体の背景画像として元の背景画像をそのまま用いるものである。この場合は、元の背景画像が例えば空のようにきれいな背景であって、自然にグラデーションがついているようなときに適用できるものである。
【００２９】
図４において、ステップＳ１からステップＳ２までは図１に示す第１の発明の場合と全く同じである。そして、ステップＳ９で対象となる被写体の画像をオブジェクト化することによって背景画像から分離する。一方、前記被写体の画像が分離された後の背景画像（元の背景画像）をそのまま背景画像として使用する（ステップＳ１０）。そして、この背景画像について、図１のステップＳ７と同様にして、分離した被写体の外周部分に対応する背景画像上に陰影付けを行う（ステップＳ１１）。次に図１のステップＳ８と同様に被写体と陰影を背景画像上に結合する（ステップＳ１２）。これにより、被写体が立体的に知覚されるプリントを可能とする原画像の作成が完了する。
【００３０】
以上においては、被写体が立体的に知覚されるプリントを可能とする原画像を作成する立体知覚プリント原画像作成方法について説明したが、次に、被写体が立体的に知覚される画像をプリントする立体知覚画像形成方法について説明する。
【００３１】
図５は、第３の発明による立体知覚画像形成方法の実施形態を示すブロック図である。この立体知覚画像形成方法は、被写体が立体的に知覚される画像をプリントするもので、メガネ等の機器を一切用いることなく、カメラで撮影した写真画像を加工した原画像をプリントするだけで簡便に被写体が立体的に知覚されるようにする。以下、その手順について説明する。
【００３２】
図５の実施形態は、図１に示す第１の発明による立体知覚プリント原画像作成方法に対応して作成するプリント用の原画像を用いて立体知覚画像を形成するもので、図５において、ステップＳ１からステップＳ７までは図１に示す第１の発明の場合と全く同じである。次に図１のステップＳ８と同様に被写体と陰影を背景画像上に結合させ、被写体が立体的に知覚されるプリントを可能とする原画像を作成する（ステップＳ１３）。その後、この作成されたプリント用の原画像をプリンタでプリントする（ステップＳ１４）。これにより、被写体が立体的に知覚される画像の形成が完了する。なお、プリンタにより印画紙プリントを行う場合は、立体知覚の効果が顕著に認識できる大きさとして、例えばワイド四つ切で印刷するとよい。
【００３３】
図６は、第４の発明による立体知覚画像形成方法の実施形態を示すブロック図である。
図６の実施形態は、図４に示す第２の発明による立体知覚プリント原画像作成方法に対応して作成するプリント用の原画像を用いて立体知覚画像を形成するもので、図６において、ステップＳ１からステップＳ２までとステップＳ９からステップＳ１１までは図４に示す第２の発明の場合と全く同じである。ステップＳ１５で被写体と陰影を背景画像上に結合させ被写体が立体的に知覚されるプリントを可能とする原画像を作成する。その後、この作成されたプリント用の原画像をプリンタでプリントする（ステップＳ１６）。これにより、被写体が立体的に知覚される画像の形成が完了する。
【００３４】
なお、図４及び図６の説明で被写体を背景から分離する前に背景画像との境界部分を彩色補修しないのは背景画像をそのまま使うので諧調の連続性が保たれ別の新しい背景を作成して貼り付けた場合と違って彩色補修しなくても被写体と背景の一体性が保たれているからである。また、図２及び図３では、被写体は一例として鳥としたが、これに限られず、動物、植物、自動車、船舶、航空機、その他いずれのものであってもよい。
【図面の簡単な説明】
【００３５】
【図１】第１の発明による立体知覚プリント原画像作成方法の実施形態を示すブロック図である。
【図２】画像処理ソフトウェア上でマスクツールを用いて、写真画像の中の必要な被写体の周囲をマスクで囲んだ具体例を示す写真である。
【図３】第１の発明で作成されたプリント用の原画像の具体例を示す写真である。
【図４】第２の発明による立体知覚プリント原画像作成方法の実施形態を示すブロック図である。
【図５】第３の発明による立体知覚画像形成方法の実施形態を示すブロック図である。
【図６】第４の発明による立体知覚画像形成方法の実施形態を示すブロック図である。
【図１】
2007115042.tif 000003
【図２】
2007115042.tif 000004
【図３】
2007115042.tif 000005
【図４】
2007115042.tif 000006
【図５】
2007115042.tif 000007
【図６】
2007115042.tif 000008
【手続補正書】
【提出日】平成17年12月22日(2005.12.22)
【手続補正１】
【補正対象書類名】特許請求の範囲
【補正対象項目名】請求項１
【補正方法】変更
【補正の内容】
【請求項１】
被写体と背景とを含む写真画像をデジタル化してデジタル画像を取得する工程と、
この取得されたデジタル画像について、コンピュータ上で画像処理ソフトウェアを用いて当該被写体の周囲をマスキングしてから、被写体と背景との境界部分を上記被写体側の色彩で補修した後に、対象となる被写体の画像を背景画像から切り取る工程と、
この切り取られた被写体の画像を貼り付けるための新しい背景画像を作成する工程と、
この作成された新しい背景画像上に上記切り取った被写体の画像を貼り付ける工程と、
この被写体の画像が貼り付けられた背景画像について、被写体の外周部分に対応する背景画像上に陰影付けを行う工程と、
その被写体と陰影を背景画像上に結合させる工程と、
を行うことにより、被写体が立体的に知覚されるプリントを可能とする原画像を作成することを特徴とする立体知覚プリント原画像作成方法。
【手続補正２】
【補正対象書類名】特許請求の範囲
【補正対象項目名】請求項３
【補正方法】変更
【補正の内容】
【請求項３】
被写体と背景とを含む写真画像をデジタル化してデジタル画像を取得する工程と、
この取得されたデジタル画像について、コンピュータ上で画像処理ソフトウェアを用いて当該被写体の周囲をマスキングしてから、被写体と背景との境界部分を上記被写体側の色彩で補修した後に、対象となる被写体の画像を背景画像から切り取る工程と、
この切り取られた被写体の画像を貼り付けるための新しい背景画像を作成する工程と、
この作成された新しい背景画像上に上記切り取った被写体の画像を貼り付ける工程と、
この被写体の画像が貼り付けられた背景画像について、被写体の外周部分に対応する背景画像上に陰影付けを行う工程と、
その被写体と陰影を背景画像上に結合させ、被写体が立体的に知覚されるプリントを可能とする原画像を作成する工程と、
この作成されたプリント用の原画像をプリンタでプリントする工程と、
を行うことを特徴とする立体知覚画像形成方法。
【手続補正３】
【補正対象書類名】明細書
【補正対象項目名】０００７
【補正方法】変更
【補正の内容】
【０００７】
上記目的を達成するために、第１の発明による立体知覚プリント原画像作成方法は、被写体と背景とを含む写真画像をデジタル化してデジタル画像を取得する工程と、この取得されたデジタル画像について、コンピュータ上で画像処理ソフトウェアを用いて当該被写体の周囲をマスキングしてから、被写体と背景との境界部分を上記被写体側の色彩で補修した後に、対象となる被写体の画像を背景画像から切り取る工程と、この切り取られた被写体の画像を貼り付けるための新しい背景画像を作成する工程と、この作成された新しい背景画像上に上記切り取った被写体の画像を貼り付ける工程と、この被写体の画像が貼り付けられた背景画像について、被写体の外周部分に対応する背景画像上に陰影付けを行う工程と、その被写体と陰影を背景画像上に結合させる工程と、を行うことにより、被写体が立体的に知覚されるプリントを可能とする原画像を作成するものである。
【手続補正４】
【補正対象書類名】明細書
【補正対象項目名】０００８
【補正方法】変更
【補正の内容】
【０００８】
このような構成により、被写体と背景とを含む写真画像をデジタル化してデジタル画像を取得し、この取得されたデジタル画像について、コンピュータ上で画像処理ソフトウェアを用いて当該被写体の周囲をマスキングしてから、被写体と背景との境界部分を上記被写体側の色彩で補修した後に、対象となる被写体の画像を背景画像から切り取り、この切り取られた被写体の画像を貼り付けるための新しい背景画像を作成し、この作成された新しい背景画像上に上記切り取った被写体の画像を貼り付け、この被写体の画像が貼り付けられた背景画像について、被写体の外周部分に対応する背景画像上に陰影付けを行い、その被写体と陰影を背景画像上に結合させることにより、被写体が立体的に知覚されるプリントを可能とする原画像を作成する。
【手続補正５】
【補正対象書類名】明細書
【補正対象項目名】０００９
【補正方法】削除
【補正の内容】
【手続補正６】
【補正対象書類名】明細書
【補正対象項目名】００１２
【補正方法】変更
【補正の内容】
【００１２】
この形態は、対象となる被写体の画像を背景画像から分離した後に、該被写体の背景画像として元の背景画像をそのまま用いるものである。この場合は、元の背景画像が例えば空のようにきれいな背景であって、自然にグラデーションがついているようなときに適用できるものである。そしてこのような背景画像の状態において、上記背景画像から対象となる被写体の画像をマスキングしてからオブジェクト化し、背景画像から分離した場合は、被写体と背景部分との境界部分は色彩での補修は行わない。既存の背景をそのまま使用するため被写体と背景の色の連続性を生かし階調変化をそのまま保つことによって、境界部分が自然に仕上がる。
【手続補正７】
【補正対象書類名】明細書
【補正対象項目名】００１３
【補正方法】変更
【補正の内容】
【００１３】
また、第３の発明による立体知覚画像形成方法は、被写体と背景とを含む写真画像をデジタル化してデジタル画像を取得する工程と、この取得されたデジタル画像について、コンピュータ上で画像処理ソフトウェアを用いて当該被写体の周囲をマスキングしてから、被写体と背景との境界部分を上記被写体側の色彩で補修した後に、対象となる被写体の画像を背景画像から切り取る工程と、この切り取られた被写体の画像を貼り付けるための新しい背景画像を作成する工程と、この作成された新しい背景画像上に上記切り取った被写体の画像を貼り付ける工程と、この被写体の画像が貼り付けられた背景画像について、被写体の外周部分に対応する背景画像上に陰影付けを行う工程と、その被写体と陰影を背景画像上に結合させ、被写体が立体的に知覚されるプリントを可能とする原画像を作成する工程と、この作成されたプリント用の原画像をプリンタでプリントする工程と、を行うものである。
【手続補正８】
【補正対象書類名】明細書
【補正対象項目名】００１４
【補正方法】変更
【補正の内容】
【００１４】
このような構成により、被写体と背景とを含む写真画像をデジタル化してデジタル画像を取得し、この取得されたデジタル画像について、コンピュータ上で画像処理ソフトウェアを用いて当該被写体の周囲をマスキングしてから、被写体と背景との境界部分を上記被写体側の色彩で補修した後に、対象となる被写体の画像を背景画像から切り取り、この切り取られた被写体の画像を貼り付けるための新しい背景画像を作成し、この作成された新しい背景画像上に上記切り取った被写体の画像を貼り付け、この被写体の画像が貼り付けられた背景画像について、被写体の外周部分に対応する背景画像上に陰影付けを行い、その被写体と陰影を背景画像上に結合させ、被写体が立体的に知覚されるプリントを可能とする原画像を作成し、この作成されたプリント用の原画像をプリンタでプリントする。
【手続補正９】
【補正対象書類名】明細書
【補正対象項目名】００２６
【補正方法】変更
【補正の内容】
【００２６】
次に、上記作成された新しい背景画像上に上記切り取った被写体の画像を貼り付ける（ステップＳ６）。その後、上記被写体の画像が貼り付けられた背景画像について、その被写体の外周にて上記背景画像上に陰影付けを行う（ステップＳ７）。このとき、被写体の外周の背景画像上にて主として当該被写体の下側に、立体的に知覚させたい程度に応じて陰影の方向、陰影の濃淡、陰影ぼかしの強弱、陰影幅の大小等を調節して陰影付けを行う。この処理は、操作者がコンピュータの表示画像を観察しながら、最適な結果が得られるまで何回か繰り返して行えばよい。次に被写体と陰影を背景画像上に結合させる（ステップＳ８）。これにより、被写体が立体的に知覚されるプリントを可能とする原画像の作成が完了する。
【手続補正１０】
【補正対象書類名】明細書
【補正対象項目名】００３４
【補正方法】変更
【補正の内容】
【００３４】
なお、図４及び図６の説明で被写体を背景から分離する前に背景画像との境界部分を彩色補修しないのは背景画像をそのまま使うので階調の連続性が保たれ別の新しい背景を作成して貼り付けた場合と違って彩色補修しなくても被写体と背景の一体性が保たれているからである。また、図２及び図３では、被写体は一例として鳥としたが、これに限られず、動物、植物、自動車、船舶、航空機、その他いずれのものであってもよい。
【手続補正１１】
【補正対象書類名】図面
【補正対象項目名】図６
【補正方法】変更
【補正の内容】
【図６】
2007115042.tif 000009